(57)【要約】【課題】  受変電用もしくは配電用の高圧／低圧変圧器におけるＢ種接地の断線の発生を判別できる技術を提供する。【解決手段】  ３相３線式変圧器の二次側のＲ相、Ｓ相、Ｔ相およびＢ種接地線のそれぞれと電気的に接続し、電圧切り替え開閉器ＶＳを操作することにより各相とＢ種接地線とを電気的に接続することで、Ｒ相、Ｓ相およびＴ相のそれぞれの対地電圧を電圧計Ｖによって測定する対地電圧測定回路ＥＶＴＣを設け、Ｓ相の対地電圧の変化を検出することによってＢ種接地線の断線を判断する。【選択図】  図１
2006140172.tif 000002
【特許請求の範囲】
【請求項１】
一次側で一次電圧を受け、二次側で前記一次電圧より低い二次電圧を供給し、
前記二次側は、第１の相、第２の相および第３の相を有し、
前記第２の相が接地線を介して接地電位と電気的に接続され、
前記第１の相、前記第２の相および前記第３の相のうち、少なくとも前記第２の相と前記接地線との間の電圧を測定する第１の回路を備え、
前記第２の相と前記接地線との間の第１の電圧が０Ｖより大きくなった時に前記接地線の断線を判別することを特徴とする変圧器。
【請求項２】
一次側で一次電圧を受け、二次側で前記一次電圧より低い二次電圧を供給し、
前記二次側は、第１の相、第２の相および第３の相を有し、
前記第２の相が接地線を介して接地電位と電気的に接続され、
前記第１の相、前記第２の相および前記第３の相のうち、少なくとも前記第２の相と前記接地線との間の電圧を測定する第１の回路を備え、
前記第２の相と前記接地線との間の第１の電圧が０Ｖより大きくなった時に前記接地線の断線を判別し、
単相三線式もしくは三相三線式であることを特徴とする変圧器。
【請求項３】
一次側で一次電圧を受け、二次側で前記一次電圧より低い二次電圧を供給し、
前記一次電圧は６００Ｖ〜７０００Ｖであり、
前記二次電圧は６００Ｖ以下であり、
前記二次側は、第１の相、第２の相および第３の相を有し、
前記第２の相が接地線を介して接地電位と電気的に接続され、
前記第１の相、前記第２の相および前記第３の相のうち、少なくとも前記第２の相と前記接地線との間の電圧を測定する第１の回路を備え、
前記第２の相と前記接地線との間の第１の電圧が０Ｖより大きくなった時に前記接地線の断線を判別することを特徴とする変圧器。
【発明の詳細な説明】
【技術分野】
【０００１】
本発明は、変圧器に関し、特に、受変電用もしくは配電用の高圧／低圧変圧器に適用して有効な技術に関するものである。
【背景技術】
【０００２】
受変電用もしくは配電用の高圧／低圧変圧器の中性点は、Ｂ種接地を施すことが電気設備の設置基準の解釈により法規定されている。また、Ｂ種接地においては、接地抵抗値が変圧器の高圧側または特別高圧側の電路の１線地絡電流のアンペア数で１５０を除した値に等しいオーム数以下となるように電気設備の設置基準の解釈により法規定されている。
【発明の開示】
【発明が解決しようとする課題】
【０００３】
本発明者は、上記高圧／低圧変圧器の運用技術について検討しており、その中で以下のような課題を見出した。
【０００４】
すなわち、上記Ｂ種接地は、何らかの原因で断線しても、断線したことは接地抵抗を測定しない限りわからない状態であった。接地抵抗の測定は、たとえば１年に１回の定期点検等でしか実施されないことから、Ｂ種接地の断線が発生していた場合でも、その定期点検等を実施した時でしか発見できない課題が存在する。
【０００５】
本発明の目的は、受変電用もしくは配電用の高圧／低圧変圧器におけるＢ種接地の断線の発生を判別できる技術を提供することにある。
【０００６】
本発明の前記ならびにその他の目的と新規な特徴は、本明細書の記述および添付図面から明らかになるであろう。
【課題を解決するための手段】
【０００７】
本願において開示される発明のうち、代表的なものの概要を簡単に説明すれば、次のとおりである。
【０００８】
本発明による変圧器は、
一次側で一次電圧を受け、二次側で前記一次電圧より低い二次電圧を供給し、
前記二次側は、第１の相、第２の相および第３の相を有し、
前記第２の相が接地線を介して接地電位と電気的に接続され、
前記第１の相、前記第２の相および前記第３の相のうち、少なくとも前記第２の相と前記接地線との間の電圧を測定する第１の回路を備え、
前記第２の相と前記接地線との間の第１の電圧が０Ｖより大きくなった時に前記接地線の断線を判別するものである。
【発明の効果】
【０００９】
本願において開示される発明のうち、代表的なものによって得られる効果を簡単に説明すれば以下のとおりである。
【００１０】
すなわち、変圧器の二次側の各相（第１の相、第２の相および第３の相）およびＢ種接地線のそれぞれと電気的に接続し、各相のそれぞれの対地電圧（第１の電圧）を測定する対地電圧測定回路（第１の回路）を設けることにより、Ｂ種接地線の断線を判断することができる。
【発明を実施するための最良の形態】
【００１１】
以下、本発明の実施の形態を図面に基づいて詳細に説明する。なお、実施の形態を説明するための全図において、同一の部材には原則として同一の符号を付し、その繰り返しの説明は省略する。
【００１２】
本実施の形態の変圧器は、受変電用もしくは配電用として用いられる高圧／低圧変圧器であり、一次電圧（６００Ｖ〜７０００Ｖ）を低圧（６００Ｖ）以下に変圧するものである。図１は、その変圧器が３相３線式変圧器である場合の要部回路を示したものである。
【００１３】
図１に示す３相３線式変圧器は、たとえば６．６ｋＶの一次電圧を２００Ｖの二次電圧へ変圧するものである。二次側においては、Ｓ相がＢ種接地線を介してＢ種接地されている。このＢ種接地は、接地抵抗値が変圧器の高圧側（一次側）の電路の１線地絡電流のアンペア数で１５０を除した値に等しいオーム数以下となるような接地方法である。
【００１４】
図１に示すように、本実施の形態の３相３線式変圧器においては、二次側のＲ相（第１の相もしくは第３の相）、Ｓ相（第２の相）およびＴ相（第１の相もしくは第３の相）のそれぞれと電気的に接続し、各相の対地電圧を測定する対地電圧測定回路（第１の回路）ＥＶＴＣが設けられている。その対地電圧測定回路ＥＶＴＣ内において、Ｒ相およびＴ相はヒューズＥＦを介して電圧切り替え開閉器ＶＳと電気的に接続され、Ｓ相はヒューズＥＦを介さずに電圧切り替え開閉器ＶＳと電気的に接続されている。この電圧切り替え開閉器ＶＳは、Ｂ種接地線とも電気的に接続されており、電圧切り替え開閉器ＶＳを操作することにより各相とＢ種接地線とを電気的に接続し、各相の対地電圧を電圧計Ｖによって測定することを可能としている。
【００１５】
図２は、各相の対地電圧の正常値を示したものであり、Ｒ相、Ｓ相およびＴ相の対地電圧の正常値は、それぞれ２００Ｖ、０Ｖおよび２００Ｖである。ここで、上記Ｂ種接地線に断線が生じた場合には、Ｓ相の対地電圧（第１の電圧）に変化が生じ、０Ｖから上昇することになる。上記対地電圧測定回路ＥＶＴＣを設けていない場合には、Ｂ種接地線に断線が生じても、たとえば年に１回の停電定修（定期点検）における接地抵抗測定等でしか断線を見出すことができない。しかしながら、前述のように、本実施の形態においては、対地電圧測定回路ＥＶＴＣを設けることにより、二次側各相の対地電圧を常時測定することを可能としている。それにより、Ｂ種接地線の断線を速やかに判断することが可能となる。その結果、Ｂ種接地線が断線した状態での３相３線式変圧器の一次（高圧）および二次（低圧）の混触事故を未然に防ぐことが可能となる。
【００１６】
また、図３は、変圧器が単相３線式変圧器である場合に上記対地電圧測定回路ＥＶＴＣを設けた際の要部回路を示したものである。この単相３線式変圧器は、たとえば６．６ｋＶの一次電圧を２００Ｖもしくは１００Ｖの二次電圧へ変圧するものである。二次側においては、Ｎ相（第２の相）がＢ種接地されている。
【００１７】
図３に示すように、上記単相３線式変圧器においては、二次側のＲ相、Ｎ相およびＴ相のそれぞれと電気的に接続し、各相の対地電圧を測定する対地電圧測定回路ＥＶＴＣが設けられている。その対地電圧測定回路ＥＶＴＣ内においては、前述の３相３線式変圧器の場合と同様に、Ｒ相およびＴ相はヒューズＥＦを介して電圧切り替え開閉器ＶＳと電気的に接続されている。また、Ｎ相はヒューズＥＦを介さずに電圧切り替え開閉器ＶＳと電気的に接続されている。対地電圧測定回路ＥＶＴＣのその他の構成は、３相３線式変圧器の場合と同様である。
【００１８】
図４は、単相３線式変圧器における各相の対地電圧の正常値を示したものであり、Ｒ相、Ｎ相およびＴ相の対地電圧の正常値は、それぞれ１００Ｖ、０Ｖおよび２００Ｖである。単相３線式変圧器においても、Ｂ種接地線に断線が生じた場合には、Ｂ種接地されたＮ相の対地電圧に変化が生じ、０Ｖから上昇することになる。そのため、上記対地電圧測定回路ＥＶＴＣを設けたことにより、単相３線式変圧器の場合でも、前述の３相３線式変圧器の場合と同様の効果を得ることが可能となる。
【００１９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００２０】
本発明の変圧器は、たとえば受変電用もしくは配電用の高圧／低圧変圧器として適用することができる。
【図面の簡単な説明】
【００２１】
【図１】本発明の一実施の形態である３相変圧器の要部回路図である。
【図２】図１に示した３相変圧器における各相の対地電圧の正常値を示す説明図である。
【図３】本発明の一実施の形態である単相変圧器の要部回路図である。
【図４】図１に示した単相変圧器における各相の対地電圧の正常値を示す説明図である。
【符号の説明】
【００２２】
ＥＦ  ヒューズ
ＥＶＴＣ  対地電圧測定回路（第１の回路）
Ｖ  電圧計
ＶＳ  電圧切り替え開閉器
【図１】
2006140172.tif 000003
【図２】
2006140172.tif 000004
【図３】
2006140172.tif 000005
【図４】
2006140172.tif 000006